(57)【要約】【課題】テレビジョン受像機の節電を行いながら、視聴予約を行うことができるテレビジョンシステムを提供する。【解決手段】ＳＴＢ２を遠隔操作するためのリモコン３は、視聴開始時刻を設定し、設定された視聴開始時刻に選局するチャンネルを該設定された視聴開始時刻に関連付けて設定し、時計機能部４１により得られた時刻が設定された視聴開始時刻の所定時間前になると、アラームを鳴動させるとともに、ＳＴＢ２に対してステータス情報送信要求信号を送信する。リモコン３は、ＳＴＢ２からステータス情報送信要求信号に応答して返されたステータス情報を受信すると、該ステータス情報に応じて設定されたチャンネルを示す選局信号をＳＴＢ２に送信するように制御する。【選択図】      図１
2004229229.tif 000002
【特許請求の範囲】
【請求項１】
放送信号を受信し、表示するテレビジョン受像機と、前記テレビジョン受像機を遠隔操作するためのリモートコントロール装置とを備え、前記テレビジョン受像機と前記リモートコントロール装置とは双方向に通信可能であるテレビジョンシステムであって、
前記リモートコントロール装置は、時刻を計時する時計手段と、ユーザに対して警告を行う警告手段と、視聴開始時刻を設定する時刻設定手段と、前記時刻設定手段により設定された視聴開始時刻に選局するチャンネル情報を該設定された視聴開始時刻に関連付けて設定するチャンネル設定手段と、前記時計手段により得られた時刻が前記設定された視聴開始時刻の所定時間前になると、前記警告手段によりユーザに対して警告を行うように制御するとともに、前記テレビジョン受像機に対してステータス情報送信要求を送信するように制御する制御手段とを有し、前記制御手段は、前記テレビジョン受像機から前記ステータス情報送信要求に応答して返されたステータス情報が受信された場合、該ステータス情報に応じて前記設定されたチャンネル情報を前記テレビジョン受像機に送信するように制御することを特徴とするテレビジョンシステム。
【発明の詳細な説明】
【０００１】
【発明の属する技術分野】
本発明は、放送信号を受信し、表示するテレビジョン受像機と、テレビジョン受像機を遠隔操作するためのリモートコントロール装置とを備えるテレビジョンシステムに関する。
【０００２】
【従来の技術】
従来、時計機能が内蔵されたテレビジョン受像機として、タイマー機能を有するものがある。このテレビジョン受像機においては、タイマー機能を用いて、設定した時間に待機状態からテレビジョン受像機を自動的に起動するように設定することが可能である。
【０００３】
また、ビデオテープレコーダ（以下、ＶＴＲという）には、通常、カレンダ機能を含む時計機能と録画予約機能が内蔵されている。このようなＶＴＲにおいては、事前に録画したい番組を新聞やテレビ番組雑誌などから探索確認し、その番組の放送チャンネルや放送日時あるいは番組毎に付与されたＧコードをＶＴＲに備えられた録画予約キーやＶＴＲに付属するリモートコントロール装置の操作キーから入力して録画予約することができる。
【０００４】
【発明が解決しようとする課題】
しかしながら、タイマー機能を用いて設定した時間に自動的に起動可能なテレビ受像機では、電源スイッチが切られていると、設定した時間に起動することはできない。これに対し、テレビ受像機が待機状態にあれば、タイマー機能を用いた自動起動を有効にすることが可能であるが、この待機状態中は電力が消費されることになる。よって、タイマー機能を用いた自動起動が設定されたテレビジョン受像機を待機状態にした状態でユーザが外出すると、外出中にテレビジョン受像機が設定された時間に起動されることがあり、その場合、無駄な電力を消費することになる。
【０００５】
ＶＴＲの場合も同様に、ＶＴＲの電源がオフの状態では、録画開始時間を到来しても、予約録画は開始されない。また、録画開始時間経過後にそのことに気が付き、ＶＴＲの電源をオンしても、予約録画は開始されない。よって、このような場合、録画ボタンを押して録画を開始しても、番組冒頭の録画はされないことになる。また、録画予約がされているにも拘わらず、停電やブレーカが落ちたことにより、予約情報が消えてしまい、予約録画を行うことができなくなることもある。
【０００６】
本発明の目的は、テレビジョン受像機の節電を行いながら、視聴予約を行うことができるテレビジョンシステムを提供することにある。
【０００７】
【課題を解決するための手段】
本発明は、上記目的を達成するため、放送信号を受信し、表示するテレビジョン受像機と、前記テレビジョン受像機を遠隔操作するためのリモートコントロール装置とを備え、前記テレビジョン受像機と前記リモートコントロール装置とは双方向に通信可能であるテレビジョンシステムであって、前記リモートコントロール装置は、時刻を計時する時計手段と、ユーザに対して警告を行う警告手段と、視聴開始時刻を設定する時刻設定手段と、前記時刻設定手段により設定された視聴開始時刻に選局するチャンネル情報を該設定された視聴開始時刻に関連付けて設定するチャンネル設定手段と、前記時計手段により得られた時刻が前記設定された視聴開始時刻の所定時間前になると、前記警告手段によりユーザに対して警告を行うように制御するとともに、前記テレビジョン受像機に対してステータス情報送信要求を送信するように制御する制御手段とを有し、前記制御手段は、前記テレビジョン受像機から前記ステータス情報送信要求に応答して返されたステータス情報が受信された場合、該ステータス情報に応じて前記設定されたチャンネル情報を前記テレビジョン受像機に送信するように制御することを特徴とする。
【０００８】
【発明の実施の形態】
以下、本発明の実施形態について図面を参照しながら説明する。
【０００９】
図１は本発明の一実施形態に係るテレビシステムの構成を模式的に示す外観図である。
【００１０】
テレビシステムは、図１に示すように、ＰＤＰ（Ｐｌａｓｍａ  Ｄｉｓｐｌａｙ  Ｐａｎｅｌ）やＣＲＴ（Ｃａｔｈｏｄｅ  Ｒａｙ  Ｔｕｂｅ）などのデバイスが使用されているディスプレイ装置１と、アンテナなどを介して受信された放送電波をディスプレイ装置１が表示可能な信号へ変換するセットトップボックス（以下、ＳＴＢという）２と、ＳＴＢ２を遠隔操作するリモートコントロール装置（以下、リモコンという）３とを備える。
【００１１】
次に、ＳＴＢ２の構成について図２を参照しながら説明する。図２は図１のＳＴＢ２の構成を示すブロック図である。
【００１２】
ＳＴＢ２には、図２に示すように、ディスプレイ装置１と、テレビ番組の放送電波を受信するＢＳ／ＣＳデジタル放送受信アンテナ２１と、地上波放送用のアンテナ２２と、電話回線２３とが接続される。
【００１３】
ＳＴＢ２には、ＢＳ／ＣＳデジタルチューナ２０１と、デスクランブル２０２と、映像と音声とデータを分離するデマックス２０３と、映像と音声を伸長するＭＰＥＧ２デコーダ２０４と、地上波チューナ２０５と、地上波放送信号であるＮＴＳＣ信号を復元するＮＴＳＣデコーダ２０６と、複数の画面を合成するマルチスクリーン制御部２０７と、マルチスクリーン制御部２０７からの信号をディスプレイ用信号に変換するディスプレイＩ／Ｆ２０８と、放送番組などを録画するハードディスク（ＨＤＤ）２０９と、ハードディスク用Ｉ／Ｆ２１０と、ＳＴＢ２全体を制御するマイクロプロセッサ（以下、ＭＰＵという）２１１と、録画予約の情報などのデータを一時的に記憶するメモリ２１２と、データを表示するグラフィックコントローラ２１３と、スマートカード２１５からそれに書き込まれているＳＴＢ２のＩＤ番号や視聴者情報（氏名や住所など）を読み取るカードＩ／Ｆ２１４と、電話回線２３と接続するためのモデム２１６と、音声を切り換えるスイッチ回路２１７と、時計機能部２１８と、リモコン３との間で信号を送受信するための信号送受信機２１９とが内蔵されている。
【００１４】
なお、本実施形態では、ＳＴＢ２に２つのチューナが内蔵されているが、３つ以上のチューナを内蔵したものであってもよい。また、記録媒体をハードディスクに代えて、ビデオテープや半導体メモリなどを用いたものでもよい。
【００１５】
このＳＴＢ２において、ＢＳ／ＣＳデジタルチューナ２０１で受信されたＭＰＥＧ２のストリームは、デスクランブル２０２でスクランブルが解除された後、デマックス２０３によって映像、音声、付加データに分けられる。映像と音声はデコーダ２０４により復元される。地上波用チューナ２０５で受信された放送電波はＮＴＳＣデコーダ２０６で復元される。各デコーダ２０４，２０６で復元された映像は、マルチスクリーン制御部２０７に入力され、いずれか一方の番組、または２番組同時にディスプレイ装置１に出力される。
【００１６】
また、電子番組表や番組情報などの付加データは、ＭＰＵ２１１で解析され、適時グラフィックコントローラ２１３を通じて、画面に表示することが可能である。また、各チューナ２０１，２０５で受信された放送番組は、ハードディスク用Ｉ／Ｆ２１０を介してハードディスク２０９へ録画することが可能である。
【００１７】
次に、リモコン３について図３および図４を参照しながら説明する。図３は図１のリモコン３の外観構成を模式的に示す平面図、図４は図１のリモコン３の回路構成を示すブロック図である。
【００１８】
リモコン３には、図３に示すように、ＳＴＢ２の電源をオン／オフを制御する電源ボタン３１、ＳＴＢ２のチャンネルを選局する１２個の選局ボタン３２、音量調整ボタン３３、ＢＳ／ＣＳデジタル放送と地上波放送を切り換える切換スイッチ３４、日付や時刻や受信中のチャンネル番号などを表示する液晶ディスプレイやＬＥＤなどから構成される表示部３５、アラーム音を鳴らすスピーカ３６、視聴予約の際に日付や時刻やチャンネル番号の入力個所を選択する選択ボタン３７、視聴予約の際に予約登録モードへの切換とリモコン内に記憶させるための予約／決定ボタン３８、入力する数字を順算、逆算させるアップ／ダウンボタン３９、および視聴予約のキャンセルボタン４０が設けられている。
【００１９】
このリモコン３を使って選局するときは、予めＢＳ／ＣＳデジタル放送、地上波放送のいずれか一方を選択しておき、予め放送局が登録されている１２個の選局ボタン３２のいずれかを押して選局する。このとき、表示部３５には、日付と時刻、ＳＴＢ２が受信中のチャンネル番号が表示され、また、視聴予約中の日付やチャンネル番号などの予約情報が表示される。
【００２０】
視聴予約する際は、まず予約／決定ボタン３８が押される。次いで、表示部３５に表示されている日付や時刻、チャンネル番号が、選択ボタン３７、アップ／ダウンボタン３９の＋側または−側のいずれかの押下操作により、希望数字に合わせられる。予約中にキャンセルしたい場合は、キャンセルボタン４０を押せばよい。この視聴予約の詳細な方法は、後述する。
【００２１】
リモコン３は、図４に示すように、表示部３５、スピーカ３６、日付や時刻を計数する時計機能部４１、アラーム音を生成する音声処理部４２、任意の時刻に任意の番組に選局するための情報を記憶するメモリ４３、無線方式により、ＳＴＢ２へ選局や音声ボリュームなどの制御信号を送信し、またＳＴＢ２からの情報信号を受信する送受信部４４、および、上記各ブロックを制御するとともに、使用者が各操作キー４６を操作した内容を読み取り、所定のリモコン信号フォーマットに変換するマイコンを含む制御部４５を有する。操作キー４６は、電源ボタン３１や選局ボタン３２などを含む操作キー群である。
【００２２】
次に、リモコン３を用いた視聴予約について図５を参照しながら説明する。図５は図１のリモコン３を用いて視聴予約を行う際の操作手順を示す図である。
【００２３】
リモコン３においては、図５に示すように、通常時、現時点での日付、時刻、受信中のチャンネルが表示部３５に表示されている（５０１）。本例では、現時点での日付が２００１年０６月１９日、時刻が９時２３分であるとする。この状態で、視聴したい番組の視聴予約のための操作を行うことが可能である。ここで、例えば視聴したい番組は、チャンネルが４ｃｈで、その放送開始日時が２００１年０６月２１日の午前１１時であるものとする。
【００２４】
上記表示部３５の表示状態でまず予約／決定ボタン３８が押されると、選択カーソル５００が日付の一桁目の「９」の部分に現れる（５０２）。次いで、アップ／ダウンボタン３９の「＋」側が一度押されると、「９」が「０」に変わる（５０３）。さらに、もう一度「＋」側が押されると、希望日の一桁目が「１」に変わる（５０４）。次いで、選択ボタン３７が押されると、選択カーソル５００は希望日の二桁目の「１」に移動され（５０５）、この状態でアップ／ダウンボタン３９の「＋」側を一度押すことによって、「１」が「２」に変わる（５０６）。これにより、希望日の入力が完了したことになる。
【００２５】
次いで、選択ボタン３７が押され、希望月の一桁目の「６」に選択カーソル５００が移動される（５０７）。ここでは、変更する必要がないので、さらに選択ボタン３７が押されて希望月の二桁目「０」に選択カーソル５００が移動される（５０８）。この希望月の二桁目も変更する必要がないので、選択ボタン３７が押されて希望年の一桁目「１」に選択カーソル５００が移動される（５０９）。希望年の一桁目「１」も変更する必要がないので、選択ボタン３７が押されて希望年の二桁目「０」に選択カーソル５００が移動される（５１０）が、これも変更する必要がないので、選択ボタン３７が押されて希望年の三桁目「０」に選択カーソル５００が移動される（５１１）。同様に、これも変更する必要がないので、選択ボタン３７が押されて希望年の四桁目「２」に選択カーソル５００が移動される（５１２）が、これも変更する必要がないので、選択ボタン３７が押されて希望時刻の分の一桁目「３」に選択カーソル５００が移動される（５１３）。
【００２６】
希望時刻の分の一桁目「３」に選択カーソル５００が移動されると、アップ／ダウンボタン３９の「−」側が三回押され、希望時刻の分の一桁目「３」が「０」に変更される（５１４）。次いで、選択ボタン３７が押されて、希望時刻の分の二桁目「２」に選択カーソル５００が移動される（５１５）。ここで、アップ／ダウンボタン３９の「−」側が二回押され、「２」が「０」に変更される（５１６）。次いで、選択ボタン３７が押されて希望時刻の時の一桁目「９」に選択カーソル５００が移動される（５１７）。ここで、アップ／ダウンボタン３９の「＋」側が二回押され、「９」が「１」に変更される（５１８）。次いで、選択ボタン３７が押され、希望時刻の時の二桁目「０」に選択カーソル５００が移動されると（ステップ５１９）、アップ／ダウンボタン３９の「＋」側が一回押され、「０」が「１」に変更される（５２０）。
【００２７】
次いで、選択ボタン３７が押され、希望チャンネルの一桁目の「１」に選択カーソル５００が移動される（５２１）。ここで、アップ／ダウンボタン３９の「＋」側が三回押され、希望チャンネルの一桁目の「１」が「４」に変更される（ステップ５２２）。次いで、希望チャンネルの二桁目の変更を行うが、ここでは、それを変更する必要がないので、予約／決定ボタン３８が押され、予約が完了される。これにより、設定された日時、チャンネルがリモコン３内のメモリ４３に記憶され、予約登録された旨を示すメッセージが表示部３５に表示される（５２３）。
【００２８】
なお、本例では、各数字を一桁ずつ変更していたが、日、月、年、分、時、チャンネル毎に二桁の順算、逆算で変更可能なようにしてもよいし、直接選局ボタン３２の１〜１０までのボタンを操作して入力するようにしてもよい。また、ＶＴＲなどで採用されているＧコードを用いた方式により視聴予約を行うようにすることも可能である。
【００２９】
次に、ＳＴＢ２の動作について図６を参照しながら説明する。図６は図１のＳＴＢ２の動作手順を示すフローチャートである。このフローチャートで示される手順はＳＴＢ２のＭＰＵ１１により実行されるものである。
【００３０】
ＳＴＢ２に電源が投入されると、図６に示すように、まず、信号送受信機２１９を介して、ＳＴＢ２が起動したことを示す信号と受信中のチャンネル番号を符号化したステータス情報とが、リモコン３へ送信される（ステップＳ６０１）。そして、リモコン３からの信号の到来が監視される（ステップＳ６０２）。リモコン３からの信号が到来した場合は、この信号が番組選局を指示するものであるかの判定が行われ（ステップＳ６０３）、上記信号が番組選局を指示するものである場合は、選局処理が行われ（ステップＳ６０４）、選局された番組への切り替えと同時に、ＳＴＢ２のステータス情報（起動していることを示す信号と切り替わったチャンネル番号）がリモコン３へ送信される（ステップＳ６０５）。そして、処理が上記ステップＳ６０２に戻される。
【００３１】
上記ステップＳ６０３でリモコン３からの信号が番組選局を指示するものでないと判定された場合は、リモコン３からの信号が音量調整を指示するものであるか否かの判定が行われる（ステップＳ６０６）。ここで、上記信号が音量調整を指示するものであれば、音量調整が行われ（ステップＳ６０７）、処理が上記ステップＳ２に戻される。
【００３２】
これに対し、上記ステップＳ６０６でリモコン３からの信号が音量調整を指示するものでないと判定された場合は、リモコン３からの信号が電源ボタン３１押下を示すものであるか否かの判定が行われる（ステップＳ６０８）。ここで、電源ボタン３１を押された場合（すなわちＳＴＢ２の電源オフを指示する場合）は、ＳＴＢ２を待機状態へ移行するための処理が行われる（ステップＳ６０９）。そして、信号送受信機２１９を介して、リモコン３からの信号の到来が監視され（ステップＳ６１０）、リモコン３からの信号が到来した場合は、それがリモコン３の電源ボタン３１押下を示すものであるか否かの判定が行われる（ステップＳ６１１）。上記信号がリモコン３の電源ボタン３１押下を示すものである場合（すなわちＳＴＢ２の電源オフを指示する場合）は、ＳＴＢ２の復帰処理が行われ（ステップＳ６１２）、処理が上記ステップ６０１へ戻され、ＳＴＢ２のステータス情報がリモコン３へ送信される。
【００３３】
上記ステップＳ６１１で上記信号がリモコン３の電源ボタン３１押下を示すものでないと判定された場合、上記信号が録画予約を指示するものであるか否かの判定が行われる（ステップＳ６１３）。上記信号が録画予約を指示するものでない場合は、リモコン３からの信号がキャンセルされ（ステップＳ６１４）、待機状態が続けられる。そして、処理が上記ステップＳ６１０に戻される。
【００３４】
上記ステップＳ６１３で上記信号が録画予約を指示するものであると判定された場合は、録画予約処理が行われ（ステップＳ６１５）、そして、待機状態が保持された状態で、処理が上記ステップＳ６１０に戻される。
【００３５】
上記ステップＳ６０８でリモコン３からの信号が電源ボタン３１押下を示すものでないと判定された場合は、ＳＴＢ２の電源ボタンが押されたか否かの判定が行われ（ステップＳ６１６）、電源ボタンが押されなかったと判断された場合は、処理が上記ステップ６０２へ戻される。電源ボタンが押されたと判断された場合は、終了処理が行われ、電源が落とされる（ステップＳ６１７）。
【００３６】
次に、ＳＴＢ２を操作する際のリモコン３の動作について図７ないし図１０を参照しながら説明する。図７ないし図９は図１のＳＴＢ２を操作する際のリモコン３の動作手順を示すフローチャート、図１０（ａ）は図８のステップＳ７２０で表示される画面例を示す図、同図（ｂ）は図８のステップＳ７３０で表示される画面例を示す図である。図７ないし図９のフローチャートで示される手順は、リモコン３の制御部４５により実行されるものである。
【００３７】
ＳＴＢ２を操作する際、リモコン３においては、図７に示すように、まずＳＴＢ２からのステータス情報の信号を受信したか否かの判定が行われる（ステップＳ７０１）。ここで、ステータス情報が受信された場合は、このステータス情報がメモリ４３に記憶され（ステップＳ７０２）、ステータス情報に含まれるＳＴＢ２の受信中のチャンネル番号が表示部３５に表示される（ステップＳ７０３）。そして、処理が上記ステップＳ７０１へ戻される。
【００３８】
ステップ７０１でステータス情報が受信されていないと判定された場合は、リモコン３の電源ボタン３１が押されたか否かの判定が行われる（ステップＳ７０４）。ここで、電源ボタン３１が押されたと判定された場合は、待機／復帰信号がＳＴＢ２に送信され（ステップＳ７０５）、続いてステップＳ７０１へ戻る。
【００３９】
上記ステップＳ７０４で電源ボタン３１が押されていないと判定された場合は、１２個の選局ボタン３２のいずれかが押されたか否かの判定が行われる（ステップＳ７０６）。ここで、選局ボタン３２のいずれかが押されたと判断された場合は、押されたボタンに対応するチャンネルへの選局を指示する信号がＳＴＢ２に送信され（ステップＳ７０７）、処理が上記ステップ７０１へ戻される。
【００４０】
上記ステップ７０６で選局ボタン３２が押されていないと判定された場合は、音量調整ボタン３３が押されたか否かの判定が行われる（ステップＳ７０８）。ここで、音量調整ボタン３３が押された場合は、音量調整信号が送信され（ステップＳ７０９）、処理が上記ステップＳ７０１へ戻される。
【００４１】
上記ステップＳ７０８で音量調整ボタン３３が押されていないと判定された場合は、予約／決定ボタン３８が押されたか否かの判定が行われる（ステップＳ７１０）。ここで、予約／決定ボタン３８が押された場合は、図９に示す予約登録処理への移行が行われる。
【００４２】
上記ステップＳ７１０で予約／決定ボタン３８が押されていないと判定された場合は、既に予約登録された情報があるか否かの判定が行われる（ステップＳ７１２）。ここで、予約登録された情報があると判定された場合は、予約登録された時間が現在の時刻の例えば１分前か否かの判定が行われる（ステップＳ７１３）。ここで、１分前でないと判定された場合は、処理が上記ステップＳ７０１に戻される。これに対し、１分前であると判定された場合、図８に示すように、アラームを鳴らす処理が行われる（ステップＳ７１４）。このアラームを鳴らす処理が開始されると同時にその鳴動継続時間の計時が開始される。ここで、アラームが鳴り始める時間は１分前に限定されるものではなく、適宜決定されればよい時間である。
【００４３】
次いで、ＳＴＢ２に対してステータス情報の送信要求が行われる（ステップＳ７１５）。そして、ＳＴＢ２からのステータス情報が受信されたか否かの判定が行われ（ステップＳ７１６）、ステータス情報が受信されない場合は、アラームの鳴動継続時間が３０秒を経過したか否かの判定が行われる（ステップＳ７１７）。ここで、アラームの鳴動継続時間が３０秒を経過していないと判断された場合は、処理が上記ステップ７１４へ戻される。これに対し、アラームの鳴動継続時間が３０秒を過ぎたと判定された場合は、ＳＴＢ２の電源がオフになっていると判断され（ステップＳ７１８）、登録された予約情報がキャンセルされる（ステップＳ７１９）。続いて、登録された予約情報がキャンセルされた旨を示す画面画を表示部３５に表示する処理が行われる（ステップＳ７２０）。ここでは、例えば、図１０（ａ）に示すような画面７３１が表示部３５に表示される。そして、処理が上記ステップＳ７０１へ戻される。
【００４４】
上記ステップＳ７１６でＳＴＢ２からのステータス情報が受信されたと判定された場合は、受信されたステータス情報に基づいてＳＴＢ２が起動中であるか待機中であるかの判定が行われる（ステップＳ７２１）。ここで、ＳＴＢ２が起動中であると判定された場合は、予約登録されているチャンネル番号の選局信号が送信されるとともに、アラームの鳴動が停止され（ステップＳ７２２）、処理がステップＳ７０１へ戻される。
【００４５】
上記ステップ７１９でＳＴＢ２が待機状態であると判定された場合、電源ボタン３１が押されたか否かの判定が行われる（ステップＳ７２３）。ここで、電源ボタン３１が押されたと判定された場合は、復帰信号がＳＴＢ２へ送信される（ステップＳ７２４）。そして、ＳＴＢ２から、起動状態を示すステータス情報を受信したか否かの判定が行われ（ステップＳ７２５）、上記ステータス情報が受信された場合は、予約登録されているチャンネル番号の選局信号が送信されるとともに、アラームの鳴動が停止される（ステップＳ７２６）。そして、処理が上記ステップＳ７０１へ戻される。
【００４６】
上記ステップＳ７２５でステータス情報が受信されていないと判定された場合は、処理が上記ステップ７２４へ戻され、再度上記復帰信号がＳＴＢ２へ送信される。
【００４７】
上記ステップＳ７２３でリモコン３の電源ボタン３１が押されていないと判定された場合は、アラームの鳴動継続時間が３０秒を経過したか否かの判定が判定される（ステップＳ７２７）。ここで、アラームの鳴動継続時間が３０秒を経過していない場合は、処理が上記ステップ７２３へ戻される。これに対し、アラームの鳴動継続時間が３０秒を経過したと判定された場合は、ＳＴＢ２が待機状態で予約登録されているにもかかわらず、周囲に人が居ないと判断され、録画予約に切り換えるための録画予約切換信号がＳＴＢ２へ送信されるとともに、アラームの鳴動が停止される（ステップＳ７２８）。
【００４８】
次いで、上記録画予約切換信号に応答してＳＴＢ２から返された録画予約完了信号が受信されたか否かの判定が行われる（ステップＳ７２９）。ここで、上記録画予約完了信号が受信されていない場合は、処理が上記ステップＳ７２８へ戻され、再度上記録画予約切換信号が送信される。これに対し、上記録画予約完了信号が受信された場合は、録画予約に切り換えた旨を示す画面を表示部３５に表示する処理が行われる（ステップＳ７３０）。ここでは、例えば、図１０（ｂ）に示すような画面７３２が表示部３５に表示される。そして、処理が上記ステップＳ７０１へ戻される。
【００４９】
なお、上記処理において、アラームの鳴動継続時間が３０秒に設定されているが、これに限定されるものではなく、任意の継続時間を決定して設定すればよい。
【００５０】
上述したように、上記ステップＳ７１０で予約／決定ボタン３８が押されと判定された場合は、図９に示す予約登録処理への移行が行われる。この予約当力処理では、図９に示すように、まず図５の５０２に示すような選択カーソル５００が表示される（ステップＳ８０１）。次いで、アップ／ダウンボタン３９が押されたか否かの判定が行われる（ステップＳ８０２）。ここで、アップ／ダウンボタン３９が押された場合は、数字のアップ／ダウン処理が行われ（ステップＳ８０３）、続いて上記ステップＳ８０３の処理に対応した表示への切り換えが行われる（ステップＳ８０４）。そして、処理が上記ステップＳ８０２へ戻される。
【００５１】
上記ステップＳ８０２でアップ／ダウンボタン３９が押されていないと判定された場合は、選択ボタン３７が押されたか否かの判定が行われる（ステップＳ８０５）。ここで、選択ボタン３７が押されたと判定された場合は、選択カーソル５００を移動する処理が行われ（ステップＳ８０６）、処理が上記ステップＳ８０２へ戻される。
【００５２】
上記ステップＳ８０５で選択ボタン３７が押されていないと判定された場合は、予約／決定ボタン３８が押されたか否かの判定が行われる（ステップＳ８０７）。ここで、予約／決定ボタン３８が押された場合は、メモリ４３に設定された日時およびチャンネルが登録する予約登録処理が行われ（ステップＳ８０８）、続いて、予約登録処理が完了した表示処理が行われる（ステップＳ８０９）。そして、処理が上記ステップ７０１へ戻される。
【００５３】
上記ステップＳ８０７で予約／決定ボタン３８が押されていないと判定された場合は、キャンセルボタン４０が押されたか否かの判定が行われる（ステップＳ８１０）。ここで、キャンセルボタン４０が押されたと判定された場合は、予約登録処理がキャンセルされ（ステップＳ８１１）、続いて、キャンセルされたことを表示する処理が行われる（ステップＳ８１２）。そして、処理が上記ステップＳ７０１へ戻される。これに対し、上記ステップＳ８１０でキャンセルボタン４０が押されていないと判定された場合は、処理が上記ステップ８０２へ戻される。
【００５４】
このように、本実施形態では、予約した時間にリモコン３のアラームが鳴るので、ＳＴＢ２のメイン電源がオフされていても、見たい番組を見逃すことはない。また、ＳＴＢ２のメイン電源をオフした状態にすることができるので、節電が可能である。すなわち、ディスプレイ装置１を含むＳＴＢ２の節電を行いながら、視聴予約を行うことができる。
【００５５】
ステータス情報送信要求信号に応答して返されたステータス情報が起動中であることを示す場合、アラームの鳴動が停止されるので、ユーザがアラームの鳴動を停止させる操作を行う必要ないとともに、またユーザにアラームの鳴動をうるさいと感じさせることはない。さらに、選局信号が送信されるので、視聴したい番組の選局を行うための操作をなくすことができる。
【００５６】
ステータス情報送信要求信号に応答して返されたステータス情報が待機状態であることを示す場合、電源ボタン３１の押下操作により、ＳＴＢ２がアラームの鳴動継続時間すなわち３０秒が経過するまでの間に起動状態に復帰されなければ、ＳＴＢ２が待機状態で予約登録されているにもかかわらず、周囲に人が居ないと判断され、録画予約に切り換えるための録画予約切換信号がＳＴＢ２へ送信されるので、予約した番組が自動的に録画されることになり、視聴した番組を見逃すことがない。
【００５７】
また、本実施形態では、図示していないが、ＳＴＢ２は、所定のタイミング（例えば起動時など）で、時計機能部２１８により得られる時刻情報をリモコン３に送信し、リモコン３がＳＴＢ２から送信された時刻情報を受信すると、制御部４５は、ＳＴＢ２から送信された時刻情報と時計機能部４１により得られた時刻情報が一致するか否かを判定し、それぞれの時刻情報が一致しない場合、ＳＴＢ２の時計機能部２１８の時刻情報を時計機能部４１の時刻情報に更新するための時刻更新信号をＳＴＢ２に送信するように制御するように構成してもよい。これにより、ＳＴＢ２は上記時刻更新信号に基づいて時計機能部２１８の時刻情報を更新するので、ＳＴＢ２とリモコン３のそれぞれの時刻情報を一致させることができ、番組録画をリモコン３側で設定された時刻に開始することができる。
【００５８】
また、時刻情報は単独でなく、例えばステータス情報に付加した形態でリモコン３へ送信するようにすることもできる。
【００５９】
なお、本発明の目的は、前述した実施形態の機能を実現するソフトウエアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００６０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはうまでもない。
【００６１】
以下、本発明の実施態様を列挙する。
【００６２】
［実施態様１］  放送信号を受信し、表示するテレビ受像機と、前記テレビジョン受像機を遠隔操作するためのリモートコントロール装置とを備え、前記テレビジョン受像機と前記リモートコントロール装置とは双方向に通信可能であるテレビジョンシステムであって、前記リモートコントロール装置は、時刻を計時する時計手段と、ユーザに対して警告を行う警告手段と、視聴開始時刻を設定する時刻設定手段と、前記時刻設定手段により設定された視聴開始時刻に選局するチャンネル情報を該設定された視聴開始時刻に関連付けて設定するチャンネル設定手段と、前記時計手段により得られた時刻が前記設定された視聴開始時刻の所定時間前になると、前記警告手段によりユーザに対して警告を行うように制御するとともに、前記テレビジョン受像機に対してステータス情報送信要求を送信するように制御する制御手段とを有し、前記制御手段は、前記テレビジョン受像機から前記ステータス情報送信要求に応答して返されたステータス情報が受信された場合、該ステータス情報に応じて前記設定されたチャンネル情報を前記テレビジョン受像機に送信するように制御することを特徴とするテレビジョンシステム。
【００６３】
［実施態様２］  前記テレビジョン受像機は、メイン電源投入状態にある場合に、前記リモートコントロール装置からのステータス情報送信要求に応答して前記ステータス情報を前記リモートコントロール装置へ送信することが可能であり、前記ステータス情報は前記テレビ受像機が起動状態であるか待機状態であるかを示す情報であることを特徴とする実施態様１記載のテレビシステム。
【００６４】
［実施態様３］  前記リモートコントロール装置の前記制御手段は、前記ステータス情報送信要求の送信後から予め設定されている所定警告時間内に前記テレビ受像機からの前記ステータス情報が受信された場合、前記受信されたステータス情報に基づいて前記テレビジョン受像機が起動中であるか待機中であるかを判定し、前記テレビジョン受像機が起動中であると判定した場合、前記警告手段による警告を解除し、前記設定されたチャンネル情報を含む選局信号を前記テレビジョン受像機に送信するように制御することを特徴とする実施態様２記載のテレビジョンシステム。
【００６５】
［実施態様４］  前記リモートコントロール装置の前記制御手段は、前記受信されたステータス情報に基づいて前記テレビジョン受像機が待機中であると判定した場合、前記設定されたチャンネル情報および前記設定された視聴開始時刻を含む録画予約信号を前記テレビジョン受像機に送信することを特徴とする実施態様３記載のテレビジョンシステム。
【００６６】
［実施態様５］  前記リモートコントロール装置は、情報を表示する表示手段を有し、前記リモートコントロール装置の前記制御手段は、前記送信された録画予約信号に応答して前記テレビジョン受像機から返された録画予約完了信号が受信された場合、前記録画予約を行うことを示す情報を前記表示手段に表示するように制御することを特徴とする実施態様４記載のテレビジョンシステム。
【００６７】
［実施態様６］  前記リモートコントロール装置の前記制御手段は、前記ステータス情報送信要求の送信後から予め設定されている所定警告時間内に前記テレビ受像機からの前記ステータス情報が受信されない場合、前記警告手段による警告を解除し、前記チャンネル情報および視聴開始時刻の設定を解除することを特徴とする実施態様２記載のテレビジョンシステム。
【００６８】
［実施態様７］  前記リモートコントロール装置は、情報を表示する表示手段を有し、前記リモートコントロール装置の前記制御手段は、前記チャンネル情報および視聴開始時刻の設定を解除したことを示す情報を前記表示手段に表示するように制御することを特徴とする実施態様６記載のテレビジョンシステム。
【００６９】
［実施態様８］  前記警告手段は、アラーム音を発生する手段であることを特徴とする実施態様１ないし７のいずれか１つに記載のテレビジョンシステム。
【００７０】
［実施態様９］  前記テレビジョン受像機と前記リモートコントロール装置とは無線通信方式により双方向に通信可能であることを特徴とする実施態様１ないし８のいずれか１つに記載のテレビジョンシステム。
【００７１】
［実施態様１０］  前記テレビジョン受像機は、時計手段を有し、該時計手段により得られる時刻情報を前記リモートコントロール装置へ送信し、前記リモートコントロール装置は、前記テレビジョン受像機から送信された時刻情報が受信されると、前記テレビジョン受像機から送信された時刻情報と前記リモートコントロール装置の時計手段により得られた時刻情報が一致するか否かを判定し、それぞれの時刻情報が一致しない場合、前記テレビジョン受像機の時計手段の時刻情報を前記リモートコントロール装置の時計手段の時刻情報に更新するための時刻更新信号を前記テレビジョン受像機へ送信することを特徴とする実施態様１ないし９のいずれか１つに記載のテレビジョンシステム。
【００７２】
［実施態様１１］  放送信号を受信し、表示するテレビ受像機と双方向に通信可能であり、該テレビジョン受像機を遠隔操作するためのリモートコントロール装置を用いた視聴予約方法であって、
前記リモートコントロール装置は、視聴開始時刻を設定する時刻設定工程と、前記時刻設定工程により設定された視聴開始時刻に選局するチャンネル情報を該設定された視聴開始時刻に関連付けて設定するチャンネル設定工程と、時計手段により得られた時刻が設定された視聴開始時刻の所定時間前になると、警告手段によりユーザに対して警告を行うように制御するとともに、前記テレビジョン受像機に対してステータス情報送信要求を送信するように制御する制御工程とを有し、前記制御工程では、前記テレビジョン受像機から前記ステータス情報送信要求に応答して返されたステータス情報が受信された場合、該ステータス情報に応じて前記設定されたチャンネル情報を前記テレビジョン受像機に送信するように制御することを特徴とする視聴予約方法。
【００７３】
［実施態様１２］  前記テレビジョン受像機は、メイン電源投入状態にある場合に、前記リモートコントロール装置からのステータス情報送信要求に応答して前記ステータス情報を前記リモートコントロール装置へ送信することが可能であり、前記ステータス情報は前記テレビ受像機が起動状態であるか待機状態であるかを示す情報であることを特徴とする実施態様１１記載の視聴予約方法。
【００７４】
［実施態様１３］  前記制御工程では、前記ステータス情報送信要求の送信後から予め設定されている所定警告時間内に前記テレビ受像機からの前記ステータス情報が受信された場合、前記受信されたステータス情報に基づいて前記テレビジョン受像機が起動中であるか待機中であるかを判定し、前記テレビジョン受像機が起動中であると判定した場合、前記警告手段による警告を解除し、前記設定されたチャンネル情報を含む選局信号を前記テレビジョン受像機に送信するように制御することを特徴とする実施態様１２記載の視聴予約方法。
【００７５】
［実施態様１４］  前記制御工程では、前記受信されたステータス情報に基づいて前記テレビジョン受像機が待機中であると判定した場合、前記設定されたチャンネル情報および前記設定された視聴開始時刻を含む録画予約信号を前記テレビジョン受像機に送信することを特徴とする実施態様１３記載の視聴予約方法。
【００７６】
［実施態様１５］  前記制御工程では、前記送信された録画予約信号に応答して前記テレビジョン受像機から返された録画予約完了信号が受信された場合、前記録画予約を行うことを示す情報を表示手段に表示するように制御することを特徴とする実施態様１２記載の視聴予約方法。
【００７７】
［実施態様１６］  前記制御工程では、前記ステータス情報送信要求の送信後から予め設定されている所定警告時間内に前記テレビ受像機からの前記ステータス情報が受信されない場合、前記警告手段による警告を解除し、前記チャンネル情報および視聴開始時刻の設定を解除することを特徴とする実施態様１０記載の視聴予約方法。
【００７８】
［実施態様１７］  前記制御工程では、前記チャンネル情報および視聴開始時刻の設定を解除したことを示す情報を表示手段に表示するように制御することを特徴とする実施態様１６記載の視聴予約方法。
【００７９】
［実施態様１８］  放送信号を受信し、表示するテレビ受像機と双方向に通信可能であり、該テレビジョン受像機を遠隔操作するためのリモートコントロール装置上で、視聴予約方法を行うためのプログラムであって、視聴開始時刻を設定する時刻設定ステップと、前記時刻設定ステップにより設定された視聴開始時刻に選局するチャンネル情報を該設定された視聴開始時刻に関連付けて設定するチャンネル設定ステップと、時計手段により得られた時刻が設定された視聴開始時刻の所定時間前になると、警告手段によりユーザに対して警告を行うように制御するとともに、前記テレビジョン受像機に対してステータス情報送信要求を送信するように制御する制御ステップとを有し、前記制御ステップでは、前記テレビジョン受像機から前記ステータス情報送信要求に応答して返されたステータス情報が受信された場合、該ステータス情報に応じて前記設定されたチャンネル情報を前記テレビジョン受像機に送信するように制御することを特徴とするプログラム。
【００８０】
［実施態様１９］  請求項１８記載のプログラムをコンピュータ読み取り可能に格納したことを特徴とする記憶媒体。
【００８１】
【発明の効果】
以上説明したように、本発明によれば、リモートコントロール装置により、視聴開始時刻を設定し、設定された視聴開始時刻に選局するチャンネル情報を該設定された視聴開始時刻に関連付けて設定し、時計手段により得られた時刻が設定された視聴開始時刻の所定時間前になると、警告手段によりユーザに対して警告を行うように制御するとともに、テレビジョン受像機に対してステータス情報送信要求を送信するように制御し、テレビジョン受像機からステータス情報送信要求に応答して返されたステータス情報が受信された場合、該ステータス情報に応じて設定されたチャンネル情報をテレビジョン受像機に送信するように制御するので、テレビジョン受像機の節電を行いながら、視聴予約を行うことができる。
【図面の簡単な説明】
【図１】本発明の一実施形態に係るテレビシステムの構成を模式的に示す外観図である。
【図２】図１のＳＴＢ２の構成を示すブロック図である。
【図３】図１のリモコン３の外観構成を模式的に示す平面図である。
【図４】図１のリモコン３の回路構成を示すブロック図である。
【図５】図１のリモコン３を用いて視聴予約を行う際の操作手順を示す図である。
【図６】図１のＳＴＢ２の動作手順を示すフローチャートである。
【図７】図１のＳＴＢ２を操作する際のリモコン３の動作手順を示すフローチャートである。
【図８】図１のＳＴＢ２を操作する際のリモコン３の動作手順を示すフローチャートである。
【図９】図１のＳＴＢ２を操作する際のリモコン３の動作手順を示すフローチャートである。
【図１０】（ａ）は図８のステップＳ７２０で表示される画面例を示す図、（ｂ）は図８のステップＳ７３０で表示される画面例を示す図である。
【符号の説明】
１  ディスプレイ装置
２  セットトップボックス（ＳＴＢ）
３  リモートコントロール装置
３１  電源ボタン
３２  選局ボタン
３５  表示部
３６  スピーカ
３７  選択ボタン
３８  予約／決定ボタン
３９  アップ／ダウンボタン
４０  キャンセルボタン
４１  時計機能部
４２  音声処理部
４３  メモリ
４４  送受信部
４５  制御部
４６  操作キー
２１１  ＭＰＵ
２１８  時計機能部
２１９  信号送受信機
【図１】
2004229229.tif 000003
【図２】
2004229229.tif 000004
【図３】
2004229229.tif 000005
【図４】
2004229229.tif 000006
【図５】
2004229229.tif 000007
【図６】
2004229229.tif 000008
【図７】
2004229229.tif 000009
【図８】
2004229229.tif 000010
【図９】
2004229229.tif 000011
【図１０】
2004229229.tif 000012